(57)【要約】      （修正有）【課題】金管楽器に装着された状態においてベル端面から前方への突き出し長が短く、かつ、装着時における音程のずれを実用上問題ない程度に小さくすることができる消音器を提供する。【解決手段】本体部１０は、金管楽器のベル内に挿入される後端部が開口部、前端部が閉塞部１２となった中空の部材であり、ベル１内に装着された状態において前端部がベル１の端面の位置にある。音程調整部材３１は、本体部１０と棒状部材３２によって支持され、本体部１０の前端部からベル１の軸方向に沿って後方に、金管楽器の演奏者の呼気を本体部１０内に導入するための呼気流路の断面積が他よりも狭くなった領域を形成する。【選択図】図１
2014153635.tif 000002
【特許請求の範囲】
【請求項１】
金管楽器のベル内に挿入される後端部が開口部、前端部が閉塞部となった中空の本体部であって、前記ベル内に装着された状態において前記前端部が前記ベルの端面の近傍またはそれよりも後方に位置する本体部と、
前記本体部によって前記ベル内に支持され、前記金管楽器の演奏者の呼気を前記本体内に導入するための呼気流路を狭める音程調整部材と
を具備することを特徴とする消音器。
【請求項２】
前記本体部の前端部の内壁に一端が固定された棒状部材を具備し、
前記音程調整部材は、
前記棒状部材の他端に取り付けられ、前記本体部が前記ベルに装着された状態において、前記ベルの内壁に向けて張り出した外周面を有することを特徴とする請求項１に記載の消音器。
【請求項３】
前記音程調整部材が前記本体部の前端部の内壁に対して着脱可能であることを特徴とする請求項２に記載の消音器。
【請求項４】
前記拡張部が前記棒状部材に対して着脱可能であることを特徴とする請求項２または３に記載の消音器。
【請求項５】
前記本体部は端子を備え、
前記端子にはマイクから延びる信号線が接続される、
請求項１乃至４のいずれかに記載の消音器。
【発明の詳細な説明】
【技術分野】
【０００１】
本発明は、消音器に関する。
【背景技術】
【０００２】
この種の消音器としては、内部に空洞のある筒状体をなし、前端部は閉じており、かつ、後端部には空洞に通じる開口部があり、金管楽器の音響放射部であるベル内に後端側から挿入して用いるものが一般的である。この消音器のベルへの装着により金管楽器の実質的な管長（音の定在波の波長を決定する管長）が変化すると、演奏音の音程のずれが発生する。このような音程のずれを極力小さくするため、金管楽器への装着状態において前端部がベルから前方に突き出した構成の消音器が用いられていた（例えば特許文献１参照）。
【先行技術文献】
【特許文献】
【０００３】
【特許文献１】特許第３５５２０２６号
【発明の開示】
【発明が解決しようとする課題】
【０００４】
ところで、金管楽器の演奏者の中には、消音器を装着したまま金管楽器を持ち運びたい演奏者もいる。しかし、ベル端面から消音器が突き出した状態で金管楽器を持ち運ぶのは困難である。また、例えばトランペットのように管体を手で持ち上げて演奏する金管楽器の場合、消音器がベル端部から突き出していると演奏し辛いという問題があった。
【０００５】
本発明は、このような課題に鑑みてなされたものであり、金管楽器に装着された状態においてベル端面から前方へ突き出ず、かつ、装着時における音程のずれを実用上問題ない程度に小さくすることができる消音器（弱音器を含む）を提供することを目的とする。
【課題を解決するための手段】
【０００６】
この発明は、金管楽器のベル内に挿入される後端部が開口部、前端部が閉塞部となった中空の本体部であって、前記ベル内に装着された状態において前記前端部が前記ベルの端面の近傍またはそれよりも後方に位置する本体部と、前記本体部によって前記ベル内に支持され、前記金管楽器の演奏者の呼気を前記本体内に導入するための呼気流路を狭める音程調整部材とを具備することを特徴とする消音器を提供する。
【０００７】
かかる発明によれば、消音器の本体部の前端部がベル端面またはそれより後方に位置している場合でも、音程調整部材により実用的に問題のない範囲に音程のずれを調整することが可能である。従って、音程のずれが実用上許容範囲内であり、かつ、ベル端面から突き出さないようにベル内に収納可能な消音器を実現することができる。
【図面の簡単な説明】
【０００８】
【図１】この発明の一実施形態である消音器の構成を示す図である。
【図２】同実施形態における音程調整部材の配置態様を例示する縦断面図である。
【図３】同実施形態において音程調整部材の径を縮小した場合の音程性能の変化を示す図である。
【図４】同実施形態において音程調整部材の径を拡大した場合の音程性能の変化を示す図である。
【図５】同実施形態における音程調整部材の径の変化を例示する縦断面図である。
【図６】同実施形態において閉塞部の位置を変化させた場合の音程性能の変化を示す図である。
【図７】同実施形態における閉塞部の位置の変化を例示する図である。
【図８】この発明の他の実施形態である消音器の構成を示す図である。
【発明を実施するための形態】
【０００９】
以下、図面を参照し、この発明の実施の形態を説明する。
図１（Ａ）および（Ｂ）はこの発明の一実施形態による消音器の構成を示す図である。これらの各図のうち図１（Ａ）は、トランペットのベル１に装着された本実施形態による消音器をトランペットの管の軸に沿って切断した縦断面図である。また、図１（Ｂ）は同消音器の正面図である。図１（Ａ）では、ベル１の右側に金管楽器を演奏する演奏者の口（図示略）がある。以下の説明では、この金管楽器を演奏する演奏者の視線の方向に従って前後を表現する。例えば、図１（Ａ）において、ベル１は前方に進むに従って大径化しており、後方に進むに従って小径化している。
【００１０】
図１（Ａ）および（Ｂ）に示すように、本実施形態による消音器は、筒状部１１およびその前方を塞ぐ閉塞部１２からなる本体部１０と、この本体部１０の後方に取り付けられた音程調整部材３１とを有する。
【００１１】
筒状部１１は、板状の部材により構成された略円錐台形状の部材であり、ベル１と同様、前方に進むに従って次第に大径化し、ベル１の軸に対する外壁面の勾配を増加させている。この筒状部１１において、内径が最大となる前方の端部１４には閉塞部１２が連結され、内径が最小となる後方の端部１３は開口している。閉塞部１２は板状の部材で構成されており、その外面は略椀形状をなしている。このように本体部１０は、前方が閉塞部１２、後方が開口部となった中空の部材である。
【００１２】
筒状部１１の外周には、摩擦係数の大きい緩衝材（スポンジ等の樹脂）１１ａが巻き付けられている。この緩衝材１１ａは、本体部１０をベル１から脱落しないように固定する役割を果たす。そして、本実施形態では、筒状部１１がその外周面とベル１の内周面との間に緩衝材１１ａを挟んでベル１内に固定された状態において、本体部１０の前端部である閉塞部１２がベル１の前端部に丁度位置するように、筒状部１１の外周面の形状および大きさが決定されている。
【００１３】
本実施形態の目的は、消音器の装着時において演奏音の音程を要求される音程に一致させる能力、すなわち、音程性能の劣化を防止することにある。音程調整部材３１は、この音程性能の劣化を防止するために設けられた手段である。
【００１４】
閉塞部１２の内面の中央（筒状部１１の軸と閉塞部１２との交点）には、棒状部材３２を固定するための柱状部材であるボス１２ａが形成されている。ボス１２ａは、本体部１０の内側において筒状部１１の軸方向に沿って延びており、筒状部１１の軸と同軸の円柱状の穴が形成されている。棒状部材３２は、金属製（例えば、アルミ製）の円筒部材であり、ボス１２ａの穴に収容され、筒状部１１の軸方向に沿った姿勢で固定される。
【００１５】
音程調整部材３１は、板状の部材で構成されており、後方から前方に進むに従って外径が大径化する略円錐台の形状の部材である。音程調整部材３１において、外径が最小である後方端部３１ｃは閉塞しており、外径が最大である前方端部３１ａは開口している。音程調整部材３１の後方端部３１ｃには棒状部材３２を固定するための柱状部材であるボス３１ｂが形成されている。ボス３１ｂは、音程調整部材３１の内側において音程調整部材３１の軸方向に沿って延びる部材であり、音程調整部材３１の軸と同軸の円柱状の穴が形成されている。このボス３１ｂの穴に棒状部材３２が収納されている。そして、音程調整部材３１は、その軸方向を棒状部材３２の軸方向に一致させた状態で棒状部材３２により支持されている。
【００１６】
図１（Ａ）は、棒状部材３２を介して音程調整部材３１が本体部１０に取り付けられた状態を示している。演奏者がマウスピースから吹き込んだ呼気は、ベル１内に導入されると、ベル１の内壁と音程調整部材３１の外壁との間の領域を通過し、消音器の本体部１０内に導入される。ここで、音程調整部材３１はベル１の軸を中心として径方向に張り出しているので、ベル１を介して本体部１０に導入される呼気の流路の断面積は、ベル１の内壁と音程調整部材３１の外壁との間の領域において他よりも狭くなっている。このように音程調整部材３１は、外周面をベル軸を中心として外側に突出させ、ベル１の内壁との間の呼気流路の断面積を狭める拡張部として機能する。なお、トランペットに装着されたマウスピースに演奏者が唇をつけて呼気を導入した場合、演奏者の唇の振動による音波が伝搬する。この音波によってトランペット内部に定在波が発生し、発生した定在波によってトランペットから出力される音の音程が定まる。つまり、呼気流路の断面積を変化させることは、前述の音波が伝搬する経路の断面積を変化させることになる。
【００１７】
音程調整部材３１は、消音器をベル１内に装着した場合において、音程性能の劣化を防止する役割、すなわち、閉塞部１２をベル１の端部に位置させたことに起因して生じる演奏音の音程のずれ（消音器を装着しないで演奏を行った場合の音程と消音器を装着して演奏を行った場合の音程とのずれ）を補正する役割を担っている。さらに詳述すると、次の通りである。
【００１８】
まず、従来技術のように消音器の前端部をベル端部から突き出させた構成では、消音器を装着していない場合と同様な音圧波形を持った定在波がベル１内に生じているものとする。
【００１９】
ここで、消音器の前端部をベル端部まで移動させると、ベル１内の定在波の波形はベル１の軸方向に圧縮した波形となり、ベル１内に発生される音の音程は高くなる。
【００２０】
そこで、本実施形態では、ベル１内の閉塞部１２から軸方向に沿って後方に所定距離だけ離れた位置に音程調整部材３１を配置する。この音程調整部材３１のある領域では、金管楽器の演奏者の呼気（音波）を本体部１０内に導入するための呼気流路（音波伝搬経路）の断面積が他よりも縮小されている。この呼気流路（音波伝搬経路）の断面積が縮小されている領域では、他の領域よりも呼気の流速（音波の速度）が大きくなるので、ベル１内ではこの音程調整部材３１のある領域の付近に音圧の節を持った定在波が発生し易くなる。このように本実施形態では、音程調整部材３１を設けたことにより、ベル１内に生じる定在波の音圧の節がベル端部側に引き寄せられ、閉塞部１２をベル１の端部に位置させたことに起因して生じる演奏音の音程のずれが補正される。
【００２１】
消音器の装着時における音程性能は、消音器の前端部である閉塞部１２のベル軸方向の位置、閉塞部１２の内壁から音程調整部材３１の後端までの距離Ｌ１、音程調整部材３１のベル軸方向の長さＬ２、音程調整部材３１の前端部の外径Ｄ１および後端部の外径Ｄ３等のパラメータの影響を受ける。消音器の装着による音程のずれを適切に補正するためには、消音器を使用する金管楽器のベル１の形状、実用音域に応じて、これらのパラメータを適切に選ぶ必要がある。
【００２２】
このような要求に応えるため、本実施形態では、様々な長さの棒状部材３２、様々な外径Ｄ１、Ｄ３を有する音程調整部材３１が用意されている。従って、消音器を使用する金管楽器のベル１の形状、実用音域等に応じて、適切な長さの棒状部材３２を選択して閉塞部１２に取り付け、その棒状部材３２に適切な音程調整部材３１を取り付ければよい。図２（Ａ）は、音程調整部材３１を筒状部１１の内部に配置した例、図２（Ｂ）は音程調整部材３１を筒状部１１の内部とベル１の内部とを跨ぐように配置した例、図２（Ｃ）は音程調整部材３１を筒状部１１の外であってベル１の内部に配置した例を各々示している。
【００２３】
なお、消音器を使用する金管楽器のベル１の形状、実用音域と、消音器装着時における閉塞部１２（消音器前端部）のベル軸線上での適切な位置、音程調整部材３１のベル軸線上での適切な位置、音程調整部材３１の適切な径との関係については後述する。
【００２４】
性能調整パイプ２０は、全体として略Ｕ字状をなす中空円筒形状のパイプであり、その両端は開口している。図１（Ｂ）に示すように、性能調整パイプ２０の第１の端部２０ａは消音器の本体部１０の内側で開口している。また、性能調整パイプ２０の第２の端部２０ｂは消音器の本体部１０の外側に開口している。さらに詳述すると、閉塞部１２は、ボス１２ｃを有しており、このボス１２ｃは閉塞部１２の表裏間を貫通する穴を備えている。このボス１２Ｃの穴に性能調整パイプ２０の第２の端部２０ｂが挿入され、性能調整パイプ２０が固定されている。そして、このボス１２ｃに挿入された性能調整パイプ２０の第２の端部２０ｂが本体部１０の外側に開口している。一方、性能調整パイプ２０の第１の端部２０ａは閉塞部１２に到達せず、第１の端部２０ａは閉塞部１２の内壁との間に隙間を空けて、閉塞部１２の内壁に向けて開口している。
【００２５】
この性能調整パイプ２０には、３つの役割がある。第１の役割は、演奏者によってベル１および消音器内に吹き込まれた呼気を外部に逃がす役割である。演奏者の呼気がトランペットの管から本体部１０内に導入されると、この本体部１０内に導入された呼気は性能調整パイプ２０の第１の端部２０ａに導入される。そして、第１の端部２０ａから性能調整パイプ２０内に導入された呼気は性能調整パイプ２０の第２の端部２０ｂから本体部１０の外側に排出される。
【００２６】
性能調整パイプ２０の第２の役割は、ベル１および消音器内の音圧波のスペクトル分布に生じる不要なピークを低減する役割である。
【００２７】
本実施形態において、消音器の内側では、閉塞部１２に向かって進行する直接音の音波と閉塞部１２で反射されてマウスピース側に向かって進行する反射音の音波とが併存する状態となる。従って、消音器の内側で開口する性能調整パイプ２０の第１の端部２０ａの付近においても、直接音の音波と反射波の音波とが併存する。このため、第１の端部２０ａと閉塞部１２の内壁との距離Ｌ５の２倍（直接音と反射音との経路差）が音波の半波長の奇数倍あるいは波長の整数倍である場合、直接音の音波と反射波の音波とが干渉し、当該音波が過度に小さくあるいは大きくなる。この結果、第１の端部２０ａと閉塞部１２の内壁との距離に応じた特定の周波数でディップやピークのある音波が性能調整パイプ２０から出力される。
【００２８】
本実施形態では、第１の端部２０ａを閉塞部１２の近傍に配置することにより、可聴域の音において当該ディップやピークが発生しないように構成されている。すなわち、消音器の本体の内側に性能調整パイプ２０の第１の端部２０ａを配置する際に、第１の端部２０ａを閉塞部１２の近傍に配置した状態で性能調整パイプ２０が本体部１０に取り付けられるように構成されている。そして、第１の端部２０ａを閉塞部１２の近傍に配置すれば、ディップやピークとなる周波数（第１の端部２０ａと閉塞部１２との距離に応じた特定の周波数）を可聴域外の周波数とすることができる。具体的には、第１の端部２０ａと閉塞部１２との距離を数ｍｍ程度に設定すれば、第１の端部２０ａと閉塞部１２との距離を可聴域の音での干渉が生じない距離とすることができる。すなわち、経路差（第１の端部２０ａと閉塞部１２との距離の２倍）が波長／２となるようにするためには、第１の端部２０ａと閉塞部１２との距離を波長／４とすればよい。そこで、可聴域の音の上限周波数を１０ｋＨｚとすれば、音速を３４０ｍ／ｓとした場合に波長は０．０３４ｍ（＝３４０／１００００）であり、第１の端部２０ａと閉塞部１２との距離を波長／４である８．５ｍｍより小さくすれば、可聴域の音波でディップやピークのある癖のある音が性能調整パイプ２０から出力されなくなる。また、可聴域の音の上限周波数を２０ｋＨｚとすれば、音速を３４０ｍ／ｓとした場合に波長は０．０１７ｍ（＝３４０／２００００）であり、第１の端部２０ａと閉塞部１２との距離を波長／４である４．２５ｍｍより小さくすることで、可聴域の音波でディップやピークのある癖のある音が性能調整パイプ２０から出力されなくなる。従って、高性能の消音器を提供することができる。
【００２９】
性能調整パイプ２０の第３の役割は、ベル１および消音器内に発生する音波を安定させる役割である。消音器を使用した演奏を行う際に、演奏者は、マウスピースと消音器との間に存在する気体を振動させるととによって音を出力させるが、消音器内において音響抵抗体（音響的な抵抗を与える物体）が存在すると気体の振動の発生自由度が抑制され、消音器内に生成される音波が安定化する。本実施形態による消音器では、本体部１０の内側に性能調整パイプ２０が備えられているので、性能調整パイプ２０が存在しない場合と比較して、ベル１および消音器内に発生する音波を安定化させやすくなる。
【００３０】
本実施形態の特徴は、音程調整部材３１によって行われる音程のずれの補正にある。上述したように、この音程のずれの補正を適切に行うためには、消音器を使用する金管楽器のベル１の形状、実用音域に応じて、消音器装着時における閉塞部１２（消音器前端部）のベル軸線上での位置、音程調整部材３１のベル軸線上での位置、音程調整部材３１の径を適切に選ぶ必要がある。以下、この点について説明する。
【００３１】
ベル１の軸上における音程調整部材３１の位置は、消音器を使用する金管楽器の実用音域に基づいて決定する。より詳しくは、消音器を使用する金管楽器の実用音域が低くなるほど、図１における距離Ｌ１を長くして音程調整部材３１の位置をベル端部から後方に離す。例えばトロンボーンの実用音域は、トランペットの実用音域に比べて１オクターブ低い。そこで、トロンボーン用の消音器では、概してトランペット用の消音器における音程調整部材３１の位置よりベル内部側（後方、すなわち、図１（Ａ）では右側）に入った位置に音程調整部材３１を配置する。また、消音器を使用する金管楽器の実用音域が低くなるほど、音程調整部材３１のベル軸方向の長さＬ２を長くする。
【００３２】
閉塞部１２の位置と音程調整部材３１の径Ｄ１、Ｄ３との関係は次の通りである。まず、閉塞部１２をベル端近傍またはベル端よりベル内部側に位置させると、音程調整部材３１がない状態では、消音器を装着しないで演奏した場合の音程に対して演奏音の音程が全体的に高くなる。そこで、音程調整部材３１を使用するとともに、この音程調整部材３１の径Ｄ１、Ｄ３を大きくして、ベル軸線に沿った気柱（音程調整部材３１の外壁とベル１の内壁との間を通る気柱）の断面積を縮小させる。このようにすることで、消音器を装着した金管楽器の実用音域の音程をある程度下げていくことができる。
【００３３】
図３および図４は、トランペット用の消音器において、図５に示すように音程調整部材３１の径Ｄ１、Ｄ３を変えた場合の音程性能の変化を表すグラフである。図３および図４において、横軸はトランペットの共鳴モードの次数を示している。また、縦軸は、各共鳴モードにおいて、消音器を装着した場合の共鳴周波数の消音器を装着しない場合の共鳴周波数に対するずれをセント（１００セントで半音分の音程）で表したものである。図３は音程調整部材３１の径Ｄ１、Ｄ３を基準状態である２６．５ｍｍ、１８．１ｍｍとした場合、基準状態から４ｍｍずつ縮小した場合、音程調整部材３１をなくした場合の音程性能の変化を示している。また、図４は音程調整部材３１の径Ｄ１、Ｄ３を基準状態とした場合、基準状態から１ｍｍ拡大した場合、基準状態から２ｍｍ拡大した場合の音程性能の変化を示している。なお、これらの音程性能を求めるに当たり、図１に示すＬ１、Ｌ２、Ｄ２、Ｄ４の各パラメータは次のように設定した。
Ｌ１＝１３４ｍｍ
Ｌ２＝５８ｍｍ
Ｄ２＝３２．６４ｍｍ
Ｄ４＝２５．５３ｍｍ
【００３４】
トランペットの場合、実用音域はおおむね第２モードから第８モードの範囲である。そして、図３に示すように、音程調整部材３１の径Ｄ１、Ｄ３を基準状態から縮小し、音程調整部材３１の外壁とベル１の内壁との間のベル軸方向の気柱の断面積を拡大させると、音程が全体的に上昇する。音程調整部材３１がない場合はさらに上昇する。また、低次、高次モードよりも、中域のモードの方が径Ｄ１、Ｄ３の変化に対する音程の変化が大きい。
【００３５】
図４に示すように、音程調整部材３１の径Ｄ１、Ｄ３を基準状態から拡大し、音程調整部材３１の外壁とベル１の内壁との間のベル軸方向の気柱の断面積を縮小させると、音程が全体的に低下する。しかし、音程調整部材３１の径Ｄを過度に拡大すると、中域のモードにおいて相対的に音程が下がりすぎる。
【００３６】
また、図示は省略したが、音程調整部材３１の外壁とベル１の内壁との間を通る気柱の断面積が金管楽器の直管部分（よりマウスピース側の断面積が一定な部分）の断面積よりも狭くなると、音響的に閉じた状態の動作に変わり、さらに音程が全体的に上昇する。あるいは音響的に閉じた状態の動作に変わらないまでも、低域、高域の音程は下がらないのに、中域のみ過度に下がった状態になる場合もある。また、ベル軸線に沿った気柱の断面積を過度に縮小させると、ベル１の内壁面と空気との摩擦などの影響により吹奏感が悪化する。このように気柱の断面積の縮小の程度には限度が存在する。
【００３７】
実際に演奏者が消音器を装着してトランペットを演奏する場合、図３および図４に示すグラフの音程でしか演奏できないということではない。特に第２、３次モードの低域においては、熟練した演奏者は唇の緊張の具合を調節して、正しい音程を保つことがある程度可能である。しかし、共鳴周波数のずれが０から過度に離れていると、熟練した演奏者でも正しい音程に補正することは困難になる。従って、音程調整部材３１の径Ｄ１、Ｄ３を適度なものとして、実用音域全体について音程のずれを小さくした方が演奏者と金管楽器全体としての音程性能を向上させる上で好ましい。
【００３８】
音程調整部材３１により限度まで気柱の断面積を縮小させても、音程性能が実用範囲に入らない場合、閉塞部１２を前方に移動して閉塞部１２から音程調整部材３１までの区間内の容積を拡大することにより音程の調整を行う。この調整を行うことにより、低域の音程上昇を緩和させ、音程調整部材３１によって限度まで気柱の断面積を縮小しなくても済むようになる。
【００３９】
図６は、音程調整部材３１の径Ｄ１、Ｄ３を基準状態から２ｍｍずつ短くして、図７に示すように、閉塞部１２の位置をベル端部の位置とした場合、ベル端部から１０ｍｍ前方の位置とした場合、ベル端部から２０ｍｍ前方の位置とした場合の音程性能の変化を示す図である。
【００４０】
閉塞部１２を前方にずらすと、消音器の胴部を伸長させることになるので、特に低次モードの音程が下がって正しい音程に近づいている。逆に閉塞部１２の位置をベル内部側にずらすと特に低次モードの音程が大きく上がっていくことが分かる。
【００４１】
なお、チューバ、トランペット、トロンボーン、ホルンなどの既存の金管楽器では、消音器端がベル端付近であってもおおむね実用的な音程性能に収めることができることを確認した。
【００４２】
以上のように、本実施形態によれば、音程調整部材３１を設けたので、消音器の前端部である閉塞部１２がベル端近傍またはベル端よりベル内部側にある場合でも、消音器の装着に伴う音程のずれを実用上問題ない程度に補正し、実用音域において十分な音程性能を実現することができる。さらに詳述すると、次の通りである。まず、消音器の前端部である閉塞部１２がベル端近傍またはベル端よりベル内部側にある場合、音程調整部材３１を設けたとしても、低次モードにおいて若干の共鳴周波数のずれが生じる。従来の前端部がベル端部から突き出た消音器を用いた場合、このような低次モードでの共鳴周波数のずれをより確実に補正することができる。しかし、熟練した演奏者にとって、この低次モードでの共鳴周波数のずれは、演奏時の唇の動きにより補正することができるものである。熟練した演奏者にとっては、このような低次モードでの共鳴周波数のずれの問題よりも、装着時にベル端部から突き出した消音器の使い勝手の悪さの方が重要な問題である。本実施形態においては、消音器の前端部をベル端部から突き出させることなく、中域の共鳴周波数のずれを補正することができる。従って、消音器の使い勝手の良さを向上させつつ、実用音域において十分な音程性能を実現することができる。また、本実施形態において、音程調整部材３１は、消音器の装着部（具体的には緩衝材１１ａ）とは直接的な関係をもたず配設されるため、様々な楽器、ベルに適用することができる。また、本実施形態において、消音器は金管楽器のベル内に収まるので、消音器をベルに固定するための手段が簡易なものでよい。例えば図１に示すような緩衝材１１ａであっても、消音器の本体部１０の外周面とベル１の内壁との間に挟まって本体部１０をベル１内に安定して固定することが可能である。従って、本実施形態によれば、消音器を簡単に金管楽器に装着することができるという効果がある。
【００４３】
以上、この発明の一実施形態について説明したが、この発明には他にも実施形態が考えられる。例えば次の通りである。
【００４４】
（１）上記実施形態では、棒状部材３２を閉塞部１２のボス１２ａの穴、音程調整部材３１のボス３１ｂの穴に挿入することにより、閉塞部１２、棒状部材３２および音程調整部材３１を結合したが、これら３者の結合の態様はこれに限定されるものではない。例えば棒状部材３２の両端に雄ネジを穿設するとともに、ボス１２ａ、ボス３１ｂに雌ネジ穴を穿設し、棒状部材３２の両端の雄ネジをボス１２ａ、３１ｂの雌ネジ穴に螺合させるようにしてもよい。また、棒状部材３２と閉塞部１２のボス１２ａと音程調整部材３１のボス３１ｂを省き、筒状部１１の端部１３と音程調整部材３１の端部３１ａを複数の薄い板上の部材で間隔を空けて連結することで、音程調整部材３１を固定するようにしてもよい。つまり、演奏者がマウスピースから吹き込んだ呼気が、筒状部１１の端部１３と音程調整部材３１の端部３１ａとの間を通って筒状部１１内に導入される構成であれば何でもよい。
【００４５】
（２）上記実施形態では、前端が開口した中空の音程調整部材３１を設けたが、音程調整部材３１は前端が開口していなくてもよい。この場合において、音程調整部材３１の前端に棒状部材３２と同径の穴を設け、この穴に棒状部材３２を挿入することにより音程調整部材３１を棒状部材３２に固定してもよい。
【００４６】
（３）上記実施形態では、棒状部材３２に対して拡張部として音程調整部材３１を取り付けたが、拡張部の形状は円錐台形状でなくてもよく、例えば卵形状としてもよい。あるいは様々な形状、大きさの拡張部を用意しておき、消音器を使用する金管楽器のベルの形状等に応じて、適切な拡張部を選択して音程調整部材を構成してもよい。
【００４７】
（４）さらに、消音器によって消音を行いつつマイクによって集音し、集音された音を特定の者（演奏者等）が聞くことができるようにする構成を追加しても良い。図８は、消音器にマイクを取り付けることができる構成の例を示す図である。図８においては、図１（Ａ）に示す構成と同様の構成については同一の符号で示している。図８に示す構成例においては、棒状部材３２が音程調整部材３１の端部３１ｃを貫通するように取り付けられており、棒状部材３２の端部にマイク３２０ａが取り付けられている。また、閉塞部１２の中央には端子１２０ａが取り付けられており、マイク３２０ａおよび端子１２０ａには信号線３２０ｂが接続されている。この構成にかかる消音器１０を金管楽器のベルに取り付けた状態で端子１２０ａにアンプ等への出力信号線を接続すれば、金管楽器からの出力音を消音しつつ、アンプ等によって演奏音を所望の大きさの音に変換し、特定の者に聞かせることが可能である。なお、マイク３２０ａの位置は棒状部材３２の端部に限定されるものではなく、消音器内で演奏音を検出できる場所であればどこでもよい。また、マイク３２０ａの出力信号をアンプ等に送る手段は有線通信に限定されるものではなく、無線通信でもよい。
【符号の説明】
【００４８】
１……ベル、１０……本体部、１２……閉塞部、１１……筒状部、３２……棒状部材、３１……音程調整部材、２０……性能調整パイプ、１１ａ……緩衝材。
【図１】
2014153635.tif 000003
【図２】
2014153635.tif 000004
【図３】
2014153635.tif 000005
【図４】
2014153635.tif 000006
【図５】
2014153635.tif 000007
【図６】
2014153635.tif 000008
【図７】
2014153635.tif 000009
【図８】
2014153635.tif 000010